(57)【特許請求の範囲】
【請求項１】
カードが挿入脱されるカードスロットをパネルにネジを用いて固定するカードスロットの固定構造において、
前記カードスロットに、前記カードの挿入脱をガイドする挿入脱通路と、前記ネジが挿通される挿通孔が形成されると共に前記挿入脱通路の壁部に対して前記ネジの頭の高さよりも深い段差部とを形成し、
該段差部を前記カードが挿入された際に該カードと対向する位置に配設すると共に、該段差部に上端部が前記挿入脱通路の壁部と面一となる高さの突起部を形成したことを特徴とするカードスロットの固定構造。
【請求項２】
前記挿入脱通路には、前記ネジを螺着するための治具が挿入される治具挿入スリットが形成されており、
前記段差部は、該治具挿入スリットと対向する位置に配設されていることを特徴とする請求項１記載のカードスロットの固定構造。
【請求項３】
前記突起部は、前記ネジの装着位置の片側又は両側において、前記カードの挿入脱方向に延在するよう形成されていることを特徴とする請求項１又は２記載のカードスロットの固定構造。
【発明の詳細な説明】
【技術分野】
【０００１】
本発明はカードスロットの固定構造に係り、特にカードスロットをフレームにねじ止めにより固定するカードスロットの固定構造に関する。
【背景技術】
【０００２】
例えば、パーソナルコンピュータやデジタル放送を受信するチューナ等の電子装置においては、機能拡張のためのＰＣカードや拡張カード、或いはデジタルデータの読み込みを可能とするデータが格納されたカード等が挿入脱されるカードスロットが設けられている。このカードスロットは、電子機器の前面に配置される場合にはフロントパネルに一体的に形成されるが、背面に配設される場合にはリアパネルにねじ止め固定されることが多い。
【０００３】
特許文献１には、カードスロットをパネルに固定する構造が開示されている。従来のねじ止め式のカードスロットは、カードスロットの両側部分にネジが挿通されるネジ挿通孔が形成された鍔部が設けられている。また、パネルのカードスロットの装着位置には、カードスロットが装着される装着開口が形成されると共に、前記ネジ挿通孔と対応する位置にはネジが螺着するネジ孔が形成されていた。
【０００４】
そして、パネルに形成された装着開口にカードスロットの先端所定部分を挿入した上で、ネジをネジ挿通孔に挿通しネジ孔に螺着することにより、カードスロットはパネルに固定される構成とされていた。
【特許文献１】特開平１０−３２０５０９号公報
【発明の開示】
【発明が解決しようとする課題】
【０００５】
しかしながら、カードスロットの両側部に鍔部を設けた構成ではカードスロットが大型化してしまい、これを装着する電子機器も大型化してしまうという問題点があった。また、カードスロットが大型化すると、これに伴いパネルに形成される装着開口も大きくなり、パネルの機械的強度が低下してしまうという問題点も生じる。
【０００６】
本発明は上記の点に鑑みてなされたものであり、小型化を図りつつ高い信頼性を持ってカードスロットをパネルに固定できるカードスロットの固定構造を提供することを目的とする。
【課題を解決するための手段】
【０００７】
上記の課題は、本発明の第１の観点からは、
カード（５０）が挿入脱されるカードスロット（２０）をパネル（１０）にネジ（４０）を用いて固定するカードスロットの固定構造において、
前記カードスロット（２０）に、前記カード（５０）の挿入脱をガイドする挿入脱通路（２７Ａ）と、前記ネジ（４０）が挿通される挿通孔（３１）が形成されると共に前記挿入脱通路（２７Ａ）の壁部（２８Ａ）に対して前記ネジ（４０）の頭（４１）の高さよりも深い段差部（３０）とを形成し、
該段差部（３０）を前記カード（５０）が挿入された際に該カード（５０）と対向する位置に配設すると共に、該段差部（３０）に上端部が前記挿入脱通路（２７Ａ）の壁部（２８Ａ）と面一となる高さの突起部（３２，３３）を形成したことを特徴とするカードスロットの固定構造により解決することができる。
【０００８】
また、上記発明において、前記挿入脱通路（２７Ａ）には、前記ネジ（４０）を螺着するための治具が挿入される治具挿入スリット（２２Ｃ）が形成されており、
前記段差部（３０）は、該治具挿入スリット（２２Ｃ）と対向する位置に配設されていることが望ましい。
【０００９】
また、上記発明において、前記突起部は（３２，３３）、前記ネジ（４０）の装着位置の片側又は両側において、前記カード（５０）の挿入脱方向（Ｙ１，Ｙ２方向）に延在するよう形成されていることが望ましい。
【００１０】
なお、上記参照符号は、あくまでも参考であり、これによって、特許請求の範囲の記載が限定されるものではない。
【発明の効果】
【００１１】
本発明によれば、カードが挿入された際にこの挿入されたカードと対向する位置にネジの螺着位置を設定したことにより、対向位置よりも外側に螺着位置を設ける構成に比べ、カードスロットの小型化を図ることができる。またこれに伴い、パネルに形成されるカードスロットの取り付け開口を小さくできるため、パネルの機械的強度を高めることができる。
【００１２】
また、カードスロットに、カードの挿入脱をガイドする挿入脱通路と、この挿入脱通路の壁部に対してネジの頭の高さよりも大なる深さを有する段差部とを形成したことにより、挿入脱されるカードとネジが干渉することを防止でき、挿入脱時におけるネジに起因したカードの損傷を防止することができる。
【００１３】
更に、段差部に上端部が挿入脱通路の壁部と面一とされた突起部を形成したことにより、仮にカードが斜めにカードスロットに挿入脱されても、カードは突起部に案内されて挿入脱されるため、カードが斜めにカードスロットに挿入脱された場合であってもネジとカードの干渉は防止され、カードの損傷を確実に防止することができる。
【発明を実施するための最良の形態】
【００１４】
次に、本発明を実施するための最良の形態について図面と共に説明する。
【００１５】
図１は、本発明の一実施例であるカードスロットの固定構造を示している。本実施例では、パネル１０に対してカードスロット２０を固定する固定構造を例に挙げて説明する。
【００１６】
カードスロット２０は、図１に示すように、カードコネクタ５６が実装された回路基板５５と共にパネル１０に固定されるものである。そして、カードコネクタ５６に対してカード５０を挿入脱する際、カードスロット２０はカード５０のカードコネクタ５６への挿入脱をガイドする。よって、カード５０をカードスロット２０の挿入口２４Ａ，２４Ｂに挿入脱することにより、カード５０をカードコネクタ５６に確実に挿入脱することができる。以下、このカードスロット２０をパネル１０に固定する構造について説明する。
【００１７】
パネル１０は、例えば電子機器の背面部に配設されるバックボードとして機能するものであり、金属板をプレス加工することにより一体的に形成された構成とされている。このパネル１０は、図１に加えて図２に示すように、パネル本体１０ａに装着開口１１、折曲部１２、及びフック部１４等を形成した構成とされている。
【００１８】
装着開口１１は、後述するカードスロット２０が装着される部位である。この装着開口１１の大きさは、装着されるカードスロット２０のリア部２２（これについては後述する）が挿入可能な大きさで、かつカードスロット２０のフランジ部２３よりも小さく設定されている。
【００１９】
折曲部１２はパネル本体１０ａの一部をプレス加工したものであり、装着開口１１の左右の下縁部に形成されている。この折曲部１２は、パネル本体１０ａに対して直角方向（図中矢印Ｙ２方向）に延出するよう形成されている。また各折曲部１２には、後述するネジ４０が螺着するネジ孔１３が形成されている。
【００２０】
フック部１４もパネル本体１０ａの一部をプレス加工したものであり、パネル本体１０ａの上縁部に形成されている。このフック部１４は、パネル本体１０ａに対して直角内側方向（図中矢印Ｙ２方向）に延出するよう形成されている。このフック部１４は、パネル１０を平面視した際に折曲部１２と重ならないように設定されている。具体的には、パネル１０を平面視した際、フック部１４の形成位置は、折曲部１２の形成位置に対して外側にずれた位置となるよう構成されている。
【００２１】
続いて、図１に加えて図３乃至図５を用い、カードスロット２０の構成について説明する。カードスロット２０は樹脂形成されたものであり、大略するとフロント部２１、リア部２２、及びフランジ部２３等を一体成型した構成とされている。また、フロント部２１及びリア部２２の内部には、カード５０の挿入脱を案内するカード挿入脱通路２７Ａ，２７Ｂが形成されている。
【００２２】
フロント部２１はカード５０が挿入脱される部位であり、カードスロット２０がパネル１０に固定された状態において、パネル１０の前面から前方（図中、矢印Ｙ１方向）に突出する。このフロント部２１には、カード５０を挿入するための単数或いは複数（本実施例では２個）の挿入口２４Ａ，２４Ｂが形成されている。また、カード５０の挿入脱操作を容易とするため、フロント部２１の中央部分（Ｘ１，Ｘ２方向における中央部分）にはカード５０を把持するための挿入脱用スリット２５が形成されている。
【００２３】
リア部２２は、カードスロット２０をパネル１０に固定した際、パネル１０の内側（パネル１０よりも矢印Ｙ２方向側）に位置する部分である。このリア部２２は、大略すると側部２２Ａ，２２Ａ、中央部２２Ｂ、フック係合部２６、及び段差部３０等を有した構成とされている。
【００２４】
側部２２Ａ，２２Ａは、リア部２２のＸ１方向端部及びＸ２方向端部に形成されている。中央部２２Ｂは、この側部２２Ａ，２２Ａの中間位置に形成されている。また、各側部２２Ａ，２２Ｂと中央部２２Ｂとの間には、治具挿入用スリット２２Ｃが形成されている。
【００２５】
治具挿入用スリット２２Ｃは、図３（Ａ）に示すようにカードスロット２０を平面視した状態において、側部２２Ａと中央部２２Ｂとの間に略Ｕ字状に窪むように形成された溝である。この治具挿入用スリット２２Ｃは、後述する段差部３０にネジ４０を螺着する際にドライバー等の治具が挿入される部分となる。
【００２６】
フック係合部２６はフランジ部２３の上端両側に形成されており、フランジ部２３から内側方向（Ｙ２方向）に延出するよう形成されている。このフック係合部２６は、前記したパネル１０に形成されたフック部１４と係合する構成とされている。
【００２７】
またフック係合部２６は、カードスロット２０を平面視した際に治具挿入用スリット２２Ｃと重ならないよう形成位置が選定されている。具体的には、フック係合部２６の形成位置はカードスロット２０を平面視した際、治具挿入用スリット２２Ｃに対して外側に位置するよう設定されている。よって、治具の挿入時にフック係合部２６が邪魔になるようなことはない。
【００２８】
カード挿入脱通路２７Ａ，２７Ｂは、前記のようにカード５０をカードコネクタ５６に挿入脱する際にカード５０の挿入脱を案内する機能を奏するものであり、図３（Ｄ）に示すようにフロント部２１からリア部２２にわたり図中矢印Ｙ１，Ｙ２方向に延在するよう形成されている。
【００２９】
またリア部２２においては、治具挿入用スリット２２Ｃが形成されることにより、カード挿入脱通路２７Ａ，２７Ｂは側部２２Ａ側と中央部２２Ｂ側とに分離された構成とされている。このように、リア部２２においては、カード挿入脱通路２７Ａ，２７Ｂが治具挿入用スリット２２Ｃにより分離された構成となっているが、挿入脱されるカード５０は両側部に位置する側部２２Ａ及び中央に位置する中央部２２Ｂに摺接しつつ移動するため確実に案内される。
【００３０】
このカード挿入脱通路２７Ａ，２７Ｂは、Ｙ１方向側端部がフロント部２１の挿入口２４Ａ，２４Ｂとなっており、Ｙ２方向側端部がカードコネクタ５６のカード挿入口（図示せず）と対向するよう構成されている。また、カード挿入脱通路２７Ａ，２７Ｂの形状は、挿入口２４Ａ，２４Ｂ側が広く、矢印Ｙ２方向にいくに連れて漸次狭くなる形状とされている。この形状とすることにより、挿入口２４Ａ，２４Ｂに対するカード５０の挿入脱操作を容易に行うことができると共に、カードコネクタ５６に対してカード５０を確実に装着脱することができる。
【００３１】
上記のカード挿入脱通路２７Ａ，２７Ｂは、上下左右（正面視した状態における上下左右）の４つの壁部により形成されるが、特にカード５０のガイドに寄与するのは、底壁部２８Ａ，２８Ｂである。挿入口２４Ａ，２４Ｂに挿入脱されたカード５０は、主に底壁部２８Ａ，２８Ｂ上を摺動しながら（案内されながら）挿入脱される。
【００３２】
次に、段差部３０について説明する。段差部３０は、リア部２２の最下部（Ｚ２方向端部）に形成されている。この段差部３０は、カード５０がカードスロット２０に挿入された際、この挿入されたカード５０と対向する位置に配設されている。具体的には、図３（Ａ）のようにカードスロット２０を平面視した状態において、側部２２Ａと中央部２２Ｂとの間の位置に、換言すると治具挿入用スリット２２Ｃの形成位置に配設されている。
【００３３】
この段差部３０は、カードスロット２０をパネル１０に固定するネジ４０が挿通されるネジ挿通孔３１が設けられている。また図５及び図６に拡大して示すように、段差部３０の底壁部２８Ａからの深さ（図中、矢印Ｄで示す）は、前記したカード挿入脱通路２７Ａを構成する底壁部２８Ａに対しネジ４０の頭４１の高さ（図中、矢印Ｈで示す）よりも深くなるよう設定されている（Ｄ>Ｈ）。
【００３４】
更に、段差部３０のネジ挿通孔３１の形成位置の側部には、単数或いは複数（本実施例では２本）の突起３２，３３が形成されている。この各突起３２，３３は、それぞれカード５０の挿入脱方向（Ｙ１，Ｙ２方向）に延在するよう形成されている。
【００３５】
また突起３２，３３の内、内側に位置する内側突起３２の段差部３０からの高さは、段差部３０の深さＤと同一となるよう設定されている。これにより、内側突起３２の上端部は、底壁部２８Ａと面一となる。また、突起３２，３３の内、外側に位置する外側突起３３は、図４に示されるように、カード挿入脱通路２７Ａと一体化した構成となっており、従って外側突起３３の上端部も底壁部２８Ａと面一となる。
【００３６】
上記構成とされたカードスロット２０をパネル１０に装着するには、リア部２２をパネル１０のフロント側からパネル１０に形成された装着開口１１内に挿入する。そして、フランジ部２３がパネル１０に当接した時点で、カードスロット２０に設けられたフック係合部２６は、パネル１０に設けられたフック部１４と係合する。これにより、カードスロット２０はパネル１０に仮止めされた状態となる。この仮止め状態において、段差部３０は折曲部１２の上部に位置し、かつネジ孔１３とネジ挿通孔３１は対向した状態となる。
【００３７】
続いて、図示しない治具（ドライバー等）を用いて、ネジ４０をネジ挿通孔３１に挿通してネジ孔１３に螺着する。この際、リア部２２には治具挿入用スリット２２Ｃが形成されており、この治具挿入用スリット２２Ｃの下部に段差部３０が位置しているため、治具によるネジ４０の螺着作業は容易に行うことができる。また、カードスロット２０がパネル１０に仮止めされた状態でネジ４０のねじ止め作業を行うことができるため、これによってもネジ４０の螺着作業を容易に行うことができる。そして、ネジ４０がネジ孔１３に確実に螺着された状態において、カードスロット２０はパネル１０に固定された状態となる。
【００３８】
上記のように、本実施例に係る固定構造では、ネジ４０が螺着される段差部３０の形成位置が、カード５０をカードスロット２０に装着した際に、このカード５０と対向する位置に形成されている。この構成とすることにより、従来のように対向位置よりも外側に螺着位置を設ける構成に比べ、カードスロット２０の小型化を図ることができる。また、カードスロット２０の小型化が図れることにより、パネル１０に形成される装着開口１１を小さくすることが可能となり、よってパネル１０の機械的強度を高めることができる。
【００３９】
図６は、上記のようにパネル１０に固定されたカードスロット２０のカード挿入脱通路２７Ａに対し、カード５０が挿入される様子を示している。
【００４０】
図６（Ａ）はカード５０を正常に挿入している挿入途中の状態を示し、図６（Ｂ）はカード５０がカードコネクタ５６に装着された状態を示している。このようにカード５０が正常に挿入される場合、カード５０はカード挿入脱通路２７Ａを構成する底壁部２８Ａ上を摺接しつつＹ２方向に挿入されていく。この際、前記のようにネジ４０の頭４１の高さＨは、段差部３０の底壁部２８Ａからの深さＤよりも小さい（Ｄ>Ｈ）であるため、頭４１が底壁部２８Ａから突出することはない。よって、ネジ４０をカード５０の挿入脱される経路と対向する位置に設けても、カード５０の挿入脱時にネジ４０がカード５０と干渉することはなく、カード５０に損傷が発生することを有効に防止できる。
【００４１】
これに対して図６（Ｃ）は、カードスロット２０に対してカード５０が斜めに挿入された状態を示している。このようにカード５０が斜めに挿入された場合、単に段差部３０を設けただけの構成では、段差部３０にカード５０が入り込みカード５０とネジ４０が干渉することが考えられる。
【００４２】
しかしながら、本実施例に係る固定構造では、段差部３０のネジ４０が配設された位置の両側部にカード５０の挿入脱方向（Ｙ１，Ｙ２方向）に延在する内側突起３２及び外側突起３３を形成し、この各突起３２，３３の突出量が上端部が底壁部２８Ａと面一となるよう構成されている。このため、図６（Ｃ）に示されるように、カード５０が斜めにカードスロット２０に挿入されても、カード５０は突起部３２，３３の上端部に案内されて挿入されるため、カード５０が段差部３０内に入り込みネジ４０と干渉することはない。このように、本実施例の固定構造によれば、カード５０がカードスロット２０に斜め方向から挿入された場合であっても、カード５０の損傷を確実に防止することができる。
【００４３】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【図面の簡単な説明】
【００４４】
【図１】図１は、本発明の一実施例であるカードスロットの固定構造を示しており、（Ａ）は正面から見た斜視図、（Ｂ）は背面から見た斜視図である。
【図２】図２は、本発明の一実施例であるカードスロットの固定構造に用いるパネルを示しており、（Ａ）は正面から見た斜視図、（Ｂ）は背面から見た斜視図である。
【図３】図３は、本発明の一実施例であるカードスロットの固定構造に用いるカードスロットを示しており、（Ａ）は平面図、（Ｂ）は背面図、（Ｃ）は側面図、（Ｄ）は（Ｂ）におけるＸ−Ｘ線に沿う断面図である。
【図４】図４は、本発明の一実施例であるカードスロットの固定構造に用いるカードスロットを背面から見た斜視図である。
【図５】図５は、図３（Ｂ）を拡大して示す図である。
【図６】図６は、カードがカードスロットに挿入される様子を示す断面図であり、（Ａ），（Ｂ）はカードが適正に挿入された状態を示す図であり、（Ｃ）はカードが斜めに挿入された状態を示す図である。
【符号の説明】
【００４５】
１０  パネル
１１  装着開口
１２  折曲部
１３  ネジ孔
２０  カードスロット
２１  フロント部
２２  リア部
２２Ａ  側部
２２Ｂ  中央部
２２Ｃ  治具挿入用スリット
２３  フランジ部
２４Ａ，２４Ｂ  挿入口
２５  挿入脱用スリット
２６  フック係合部
２７Ａ，２７Ｂ  カード挿入脱通路
２８Ａ，２８Ｂ  壁部
３０  段差部
３１  ネジ挿通孔
３２  内側突起
３３  外側突起
４０  ネジ
４１  頭
５０  カード
【図１】
0005067078.tif 000002
【図２】
0005067078.tif 000003
【図３】
0005067078.tif 000004
【図４】
0005067078.tif 000005
【図５】
0005067078.tif 000006
【図６】
0005067078.tif 000007